(57)【要約】【課題】耳掻き本体の先端部や耳掻き部位を良好に照明することができるとともに、耳掻き本体の先端部や耳掻き部位を適宜拡大視して効率よく耳掻き作業を行うことができる。【解決手段】本考案は、両端を開口した中空の軸筒２０と、軸筒２０の一端部に配設され、上記軸筒２０内を通じかつ当該軸筒２０の他端部に向けて光を照射する照明部３０と、軸筒２０の他端部に配設され、耳掻き用部材６２ａの基端部が取り付けられて、照明部３０から照射された光を当該耳掻き用部材６２ａに向けて照射するための光照射部６１からなる耳掻き本体６０と、軸筒２０の両端部間で摺動自在に支持されて、耳掻き用部材６２ａの先端部を拡大視するための拡大レンズ５０とを有することを特徴としている。【選択図】図１
0003130697.tif 000002
【実用新案登録請求の範囲】
【請求項１】
両端を開口した中空の軸筒と、
軸筒の一端部に配設され、上記軸筒内を通じかつ当該軸筒の他端部に向けて光を照射する照明部と、
軸筒の他端部に配設されているとともに、耳掻き用部材と、この耳掻き用部材の基端部が取り付けられて、照明部から照射された光を当該耳掻き用部材に向けて照射するための光照射部とからなる耳掻き本体と、
軸筒の両端部間で摺動自在に支持されて、耳掻き用部材の先端部を拡大視するための拡大レンズとを有していることを特徴とする照明付耳掻き。
【請求項２】
耳掻き本体は、軸筒の他端部に着脱自在にして配設されていることを特徴とする請求項１に記載の照明付耳掻き。
【請求項３】
耳掻き本体は、光照射部に耳掻き用部材を固着してなることを特徴とする請求項１又は２に記載の照明付耳掻き。
【請求項４】
照明部は、軸筒の一端部に着脱自在に配設されていることを特徴とする請求項１〜３のいずれかに記載の照明付耳掻き。
【考案の詳細な説明】
【技術分野】
【０００１】
本考案は、耳掻きをする際に使用する照明付耳掻きに関する。
【背景技術】
【０００２】
この種の照明付耳掻きとして、例えば特許文献１に記載されたものがある。
特許文献１に記載されている従来の照明付耳掻きは、本体部とカバーとからなるものであり、本体部は、耳かき棒の基部に電池収納部を、また、当該耳かき棒の先部に耳かき部を透明樹脂で一体に形成した構成のものである。
【０００３】
電池収納部は上面が開口した凹状に形成されており、その内部に円盤状のコイン型電池を収納した構成になっている。なお、電池収納部と耳かき棒との境には、発光ダイオードが収納されている。
【特許文献１】特開２００２−４９７号公報
【考案の開示】
【考案が解決しようとする課題】
【０００４】
しかしながら、上記従来の照明付耳掻きは、耳かき棒を透明樹脂で形成しているために、発光ダイオードの点灯による光は、耳かき棒内を透過して耳かき部の周面から外部に向けて発光する。このために、当該樹脂によって発光量が減衰し、必ずしも耳掻きしようとしている部位若しくはその周囲を良好に照明することができないものである。
【０００５】
また、電池収納部と耳かき棒とを樹脂により一体に形成しているために、耳かき部が汚損したときにも、その汚損した部分だけを交換することができず、また、新たな照明付耳掻きの購入をすることになって不経済でもある。
さらに、耳穴を照明することができるものの、耳掻き作業を裸眼目視のみで行わなければならず、視力の度合いによっては耳掃除が難しい場合があるとともに耳穴内を傷つける虞もある。
【０００６】
そこで本考案は、耳掻き本体の先端部や耳掻き部位を良好に照明することができるとともに、耳掻き本体の先端部や耳掻き部位を適宜拡大視して効率よく耳掻き作業を行うことができる照明付耳掻きの提供を目的としている。
【課題を解決するための手段】
【０００７】
上記目的を達成するための本考案の構成は、次のとおりである。
請求項１に記載した考案は、両端を開口した中空の軸筒と、軸筒の一端部に配設され、上記軸筒内を通じかつ当該軸筒の他端部に向けて光を照射する照明部と、軸筒の他端部に配設され、耳掻き用部材の基端部が取り付けられて、照明部から照射された光を当該耳掻き用部材に向けて照射するための光照射部からなる耳掻き本体と、軸筒の両端部間で摺動自在に支持されて、耳掻き用部材の先端部を拡大視するための拡大レンズとを有していることを特徴としている。
【０００８】
請求項２に記載の考案は、請求項１に記載した耳掻き本体が、軸筒の他端部に着脱自在にして装着されていることを特徴としている。
【０００９】
請求項３に記載の考案は、請求項１又は２に記載した耳掻き本体が、光照射部に耳掻き用部材を固着してなることを特徴としている。
【００１０】
請求項４に記載の考案は、請求項１〜３のいずれかに記載した照明部が、軸筒の一端部に着脱自在に配設されていることを特徴としている。
【考案の効果】
【００１１】
請求項１に記載した考案によれば、軸筒の一端部に配設された照明部から発せられた光が、軸筒内を通じ、当該軸筒の他端部に配設されている光照射部を介して耳掻き本体を照らすようになる。
また、耳掻き本体の先端部を拡大して視たいときには、拡大レンズを軸筒に沿って摺動させて、好みの大きさに拡大する。
これにより、耳掻き本体の先端部や耳掻き部位を良好に照明することができるとともに、耳掻き本体の先端部や耳掻き部位を適宜拡大視して効率よく耳掻き作業を行うことができる。
【００１２】
請求項１に記載の考案で得られる上記効果に加え、各請求項に記載した考案によれば次の各効果を得ることができる。
【００１３】
請求項２に記載の考案によれば、耳掻き本体が、軸筒の他端部に着脱自在にして配設されているので、耳掻き本体のみを交換することができる。従って、耳掻き本体を汚損若しくは破損したときにも経済的であるとともに衛生的である。
【００１４】
請求項３に記載の考案によれば、耳掻き本体が、光照射部に耳掻き用部材を固着して構成されているので、光照射部が汚損若しくは破損したときにも交換を容易に行うことができる。
【００１５】
請求項４に記載の考案によれば、照明部が、軸筒の一端部に着脱自在に配設されているので、照明部のみを交換することができる。従って、例えば当該照明部が故障した場合にも、照明部のみを交換することによって使用することができて経済的である。
【考案を実施するための最良の形態】
【００１６】
以下に、本考案を実施するための最良の形態について、図面を参照して説明する。図１は、本考案の一実施形態に係る照明付耳掻きの斜視図、図２は、その一実施形態に係る照明付耳掻きの分解斜視図、図３は、その一実施形態に係る照明付耳掻きの断面図、図４は、照明部を拡大して示すものであり、（Ａ）は、その照明部の縦断面図、（Ｂ）は、その照明部の平断面図である。
【００１７】
本考案の一実施形態に係る照明付耳掻きＡは、軸筒２０、照明部３０、拡大レンズ５０、及び耳掻き本体６０を有している。
【００１８】
軸筒２０は、両端を開口しかつ両端部間にわたり同一の内外径にした中空円筒形に形成されているとともに、軸筒２０の一端部に照明装着部２４が、また、他端部に同じく耳掻き装着部２３が形成されている。
【００１９】
照明装着部２４は、詳細を後述する照明部３０を着脱自在に装着するためのものであり、軸筒２０よりも小径の円筒形にして形成されている。
耳掻き装着部２３は、詳細を後述する耳掻き本体６０を着脱自在に装着するためのものであり、上記照明装着部２４と同じく軸筒２０よりも小径の円筒形にして形成されている。
本実施形態においては、照明装着部２３と耳掻き装着部２４とを互いに異なる外径値にしているが、それらを同一の外径値にしてもよい。
【００２０】
軸筒２０の外周面には、両装着部２３，２４間にわたり、凹凸模様２５が中心軸線Ｏを中心とした一定の角度間隔で形成されており、これにより、拡大レンズ５０が不時に軸筒２０周りに回動することを防止している。
また、凹凸模様２５を中心軸線Ｏを中心とした一定の角度間隔で形成することにより、中心軸線Ｏに沿う方向での摺動抵抗を低減できるため、詳細を後述する拡大レンズ５０を、手操作により軸筒２０に沿って容易に摺動できるようにしているとともに、軸筒２０を持つ指の滑りを防止できるためグリップ性を高めることもできる。
【００２１】
軸筒２０の内周面は、照明部３０から照射された光を反射する反射面として機能するようになっており、これにより照明部３０から照射された光は、内周面によって反射されながら耳掻き装着部２３に向けて導かれるようになっている。
すなわち、照明部３０から照射された光は、耳掻き装着部２４に直接的に導かれるとともに、軸筒２０の内周面に反射することによっても耳掻き装着部２４に間接的に導かれるようになっている。
【００２２】
上記軸筒２０は、本実施形態においては、断面半円弧形にした合成樹脂製の２つの分割体２１，２２を互いに結合することにより形成されている。このような分割体２１，２２として形成することにより、成型を容易に行うことができる。
【００２３】
分割体２１は、断面半円弧形の本体２１ａの両端部に、本体２１ａよりも小さい半円弧形の装着片２１ｂと装着片２１ｃを形成している。
本体２１ａの周壁２１ｄの当接端面２１ｄ′，２１ｄ′には、これらの内辺縁に沿って嵌合用突片２１ｅ，２１ｅが、当該本体２１ａの両端部間にわたり一定の高さにして凸設されている。
分割体２２は、断面半円弧形の本体２２ａの両端部に、本体２２ａよりも小さい半円弧形の装着片２２ｂと装着片２２ｃを形成している。
【００２４】
上記の分割体２１，２２の当接端面どうしを当接結合させると、分割体２１の嵌合用突片２１ｅ，２１ｅが分割体２２の周壁内面に当接して、２つの分割体２１，２２を正確に位置決めして結合できる。
また、装着片２１ｂと装着片２２ｂを結合することにより、上記した円筒形の耳掻き装着部２３が軸筒２０の他端部に、また、装着片２１ｃと装着片２２ｃを結合することにより同じく円筒形の照明装着部２４が軸筒２０の一端部にそれぞれ形成される。
【００２５】
分割体２１，２２どうしは、互いの当接端面どうしを例えば接着剤等で固着しているが、後述する拡大レンズ５０を軸筒２０に嵌挿することにより固定してもよい。この場合、接着剤等が不要となり、また、接着工程を省略できるためコストの低減を図ることができる。
なお、上記軸筒としては、断面半円弧形にした上記２つの分割体を互いに結合することにより形成したものに限らず、一体に形成した構成にしてもよい。
【００２６】
照明部３０は、図２〜４に示すように、ケース３１内にボタン型電池３２，３２、スライドスイッチ３３、及び絶縁用板３９、及び光源であるＬＥＤ（Light Emitting Diode）４０を内蔵したものである。
【００２７】
ケース３１は、円形にした側壁３５ａ，３６ａの周囲に一定幅の周壁３５ｂ，３６ｂを起立形成した合成樹脂製のものであり、本実施形態においては、２つの分割器体３５，３６を互いに結合することにより略円筒形に形成されている。
【００２８】
分割器体３６の側壁３６ａには、平面視において中心軸線Ｏに一致しかつ中心軸線Ｏに沿って長いスイッチ用長孔３６ｃが形成されており、このスイッチ用長孔３６ｃを介して、後記するスライドスイッチ３３のスライド用突起４２ｂを外方に突出させている。
【００２９】
分割器体３５，３６には、互いの周壁３５ｂ，３６ｂに、互いに結合することにより円筒形の光照射部３７を形成する断面半円弧形の装着片３５ｄ，３６ｄが一体に突設されている。
【００３０】
光照射部３７は、前記した軸筒２０の照明装着部２４に着脱できる内径に形成されているとともに、基端側には全周にわたりリング用溝３７ａが凹設されている。３８はリング用溝３７ａに環装されたゴム製のリングであり、これにより、照明部３０の軸筒２０に対する脱着操作を行う際、指の滑りを防止することもできる。
なお、本実施形態においては、分割器体３５，３６どうしを接着剤で固着しているが、リング３８を光照射部３７に環装することにより分割器体３５，３６どうしを固定するようにしてもよい。
光照射部３７の基端部内には、上記ＬＥＤ４０を支持するための突起３７ｂが内方に向けて環状に突設されている。
【００３１】
ケース３１内には、ＬＥＤ４０から導出された２本のリード線４１，４１が、分割器体３５，３６の側壁３５ａ，３６ａの内面に沿い、かつ、平面視において中心軸線Ｏ１に一致して延出されている。
２本のリード線４１，４１のうちの一方のものには、直列接続したボタン型電池３２，３２の一方のものの電極３２ａが電気的に接触され、また、他方のリード線４１はスライドスイッチ３３に接続されている。
【００３２】
スライドスイッチ３３は、スイッチ本体４２と、弾性変形するオン／オフ用導電板４３とからなる。
スイッチ本体４２は、平面視略Ｅ字形に形成した本体部４２ａの上壁面に、スライド用突起４２ｂを形成されており、そのスライド用突起４２ｂがスイッチ用長孔３６ｃを介してケース３１の外方に突出するようになっている。
また、本体部４２ａの下面には、ＬＥＤ４０の他方のリード線４１を挿入するための電極用溝４２ｃが、平面視において中心軸線Ｏと一致して形成されている。すなわち、スライドスイッチ３３がリード線４１に沿って、中心軸線Ｏに沿って摺動できるようにしている。
【００３３】
オン／オフ用導電板４３は平面視Т字形に形成されており、これの基部４３ａが本体部４２ａの下面に固着され、かつ、ボタン型電池３２の電極との接点となる開放端部４３ｂが本体部４２ａの下面から斜め下方に傾斜して離間した状態にしている。なお、開放端部４３ｂ下面には、接点４３ｃが下方（ボタン型電池３２）に向けて突設されている。
また、本体４２ａの電極用溝４２ｃにＬＥＤ４０の他方のリード線４１を挿入することにより、ＬＥＤ４０の他方のリード線４１をオン／オフ用導電板４３に電気的に接続した状態になっている。
【００３４】
絶縁用板３９は電気的な絶縁材によりなるものであり、ボタン型電池３２の外径とほぼ同じ外径にし、かつ、中央部に円形の接触用孔３９ａを形成したものである。
すなわち、オン／オフ用導電板４３の接点４３ｃが、絶縁用板３９の接触用孔３９ａに対向するようにスライドスイッチ３３を移動させることにより、当該接点４３ｃがボタン型電池３２の電極に接触し、ＬＥＤ４０が点灯する。
【００３５】
また、オン／オフ用導電板４３の接点４３ｃが絶縁用板３９の接触用孔３９ａに対向しないようにスライドスイッチ３３を移動させることにより、当該接点４３ｃとボタン型電池３２の電極との接触が阻まれ、ＬＥＤ４０が消灯する。要約すると、スライドスイッチ３３の移動操作により、ＬＥＤ４０の点灯／消灯を行うことができる。
【００３６】
拡大レンズ５０は、直径約４５（ｍｍ）にした合成樹脂製の所謂両凸レンズ本体５１と、軸筒２０に嵌装するための合成樹脂製の嵌装用筒５２とからなり、その嵌装用筒５２は、両凸レンズ本体５１の中心から偏心した位置に形成された嵌挿用孔５１ａに嵌着されている。すなわち、拡大レンズ５０によって、耳掻き本体６０の先端部、従ってまた、後記する耳掻き片６２ｂ…を拡大視することができるようにしている。
【００３７】
耳掻き本体６０は、金属製の耳掻き用部材６２と、この耳掻き用部材６２の基端部が取り付けられて、上記した照明部３０から照射された光を当該耳掻き用部材６２に向けて照射するための光照射部６１とからなるものである。
換言すると、耳掻き本体６０は、軸筒２０の他端部に着脱自在にして配設されるようになっているものである。
【００３８】
光照射部６１は透明な合成樹脂製のものであり、軸筒２０の耳掻き装着部２３に嵌装できる外径にし、かつ、装着側半部を同一外径にしているとともに、先端側半部を先細形に形成したものであり、先端壁６１ａには、耳掻き用部材６２の基端部を嵌着するための円筒形の嵌着部６１ｂが内部に向けて突出して形成されている。本実施形態においては、光照射部６１に耳掻き用部材６２を固着している。
【００３９】
上記した光照射部６１は、前述した照明部３０からの光が詳細を後述する耳掻き用部材６２の耳掻き片６２ｂ…を中心として照射されるように形成されている。換言すると、照明部３０から照射された光を当該耳掻き用部材７２に向けて照射できるようにしているとともに、本実施形態においては、照射する光を拡散させて耳掻き用部材７２の周囲も照明できるようにしている。
【００４０】
耳掻き用部材６２は、所定の外径にした棒体６２ａの先端部に、棒体６２ａよりも大径にした４つの円盤形の耳掻き片６２ｂ…を、互いに一定の間隔をおいて一体に形成したものである。
上記の耳掻き片６２ｂ…の大きさは、例えば大人の耳穴を大きさを想定して設定している。
上記のように、本実施形態においては、耳掻き本体６０を軸筒２０の一端部に着脱自在に配設できるので、例えば耳掻き用部材６２や光照射部６１が汚損したとき等においては、例えば未使用の他の耳掻き本体に交換することができる。
【００４１】
次に、前述した構成からなる照明付耳掻きＡの使用態様について説明する。
使用に際しては、耳掻き本体６０を耳穴の中に入れ、使用者がスライド用突起４２ｂに指をかけてスライドスイッチ３３を移動操作すると、オン／オフ用導電板４３が絶縁用板３９の接触用孔３９ａに対向して、ＬＥＤ４０のリード線４１が接点４３ｃを介してボタン型電池３２の電極に接触する。
【００４２】
この接触とともに、一方のリード線４１がボタン型電池３２の電極に常時接触しているのでＬＥＤ４０が点灯する。この点灯による光は、軸筒２０内を通じて耳掻き本体６０の光照射部６１により、耳掻き部材６２の耳掻き片６２ｂ…に集光され、従ってまた、耳掻き片６２ｂ…を中心として照らすとともに、その耳掻き片６２ｂ…の周囲の耳穴内を明るく照らすことができる。これにより、耳掻きを効率よく行うことができる。
【００４３】
さらに、耳掻き片６２ｂ…部分やその周囲を拡大して視たいときには、拡大レンズ５０を軸筒２０に沿って他端部に向けて摺動させ、好みの大きさに拡大する。これにより、耳穴内を明るく照らすだけではなく、耳穴内を拡大して明瞭に目視できるので耳掃除がし易く、また、耳穴内を傷つける危険性を少なくすることができる。
【００４４】
不使用時には、スライドスイッチ３３を、オン／オフ用導電板４３が絶縁用板３９の接触用孔３９ａに対向しない位置に移動操作する。換言すると、オン／オフ用導電板４３の接点４３ｃが絶縁用板３９に接触する位置に移動する。これにより、リード線４１がコイン型電池３２の電極から離間して非接触状態となってＬＥＤ４０が消灯する。
さらに、スライド用突起４２ｂがスイッチ用長孔３６ｃの端部に当接して、その摺動位置が規制されるため、確実な点灯又は消灯操作ができるとともに、部品の破損も防止することができる。
【００４５】
図５は、他例に係る耳掻き本体の斜視図である。
他例に係る耳掻き本体７０は、金属製の耳掻き用部材７２と、この耳掻き用部材７２の基端部が取り付けられて、照明部３０から照射された光を当該耳掻き用部材７２に向けて照射するための光照射部７１とからなるものである。
【００４６】
光照射部７１は透明な合成樹脂製のものであり、前述した光照射部６１と同様に、軸筒２０の耳掻き装着部２３に嵌装できる外径にし、かつ、装着側半部を同一外径にしているとともに、先端側半部を先細形に形成したものであり、先端壁７１ａには、耳掻き部材７２の基端部を嵌着するための円筒形の嵌着部７１ｂが内部に向けて突出して形成されている。
【００４７】
耳掻き用部材７２は、一定の外径にした棒体７２ａの先端部に、棒体７２ａよりも大径にした２つの円盤形の耳掻き片７２ｂ，７２ｃを、互いに一定の間隔をおいて一体に形成したものである。
耳掻き片７２ｂ，７２ｃは、前記した耳掻き片６２ｂよりも小さい外径に形成したものであり、例えば耳穴の小さな人や子供等の耳穴に対応した構成になっているものである。
従って、必要に応じて上記した耳掻き本体６０に替えて、耳掻き本体７０を軸筒２０に装着して使用することにより、耳穴の小さな子供等であっても良好に耳掃除を行うことができる。
【００４８】
なお、本考案は前述した実施形態に限るものではなく、次のような変形実施が可能である。
前述した実施形態において説明した照明部は、軸筒の一端部に着脱自在に配設している構成のものについて説明したが、軸筒と一体に構成してもよい。この場合、ボタン型電池のみを交換できる構造にするとよい。
【００４９】
前述した実施形態においては、耳掻き用部材と、この耳掻き用部材の基端部が固着されて、照明部から照射された光を当該耳掻き用部材に向けて照射するための光照射部とからなる耳掻き本体を例として説明したが、光照射部を軸筒に固着するとともに、その光照射部に耳掻き用部材を着脱自在にした構成にしてもよい。この場合、耳掻き用部材のみを交換できるので経済的である。
【００５０】
軸筒として、両端を開口しかつ両端部間にわたり同一の内外径にした中空円筒形に形成したものを例として説明したが、円筒形に限るものではなく、例えば中空の楕円形や多角形にしてもよいことは勿論である。
【００５１】
使用の態様としては、耳掻き本体を軸筒に装着せずに、当該軸筒２０の他端部を耳穴に向けた状態にするとともに、一端部に配設した照明部３０を点灯することにより、耳穴内を照らして、耳穴内の状態を確認するように使用することもできる。
【実施例】
【００５２】
上記した本発明に係る照明付耳掻きの一実施例を示すと次のとおりである。
軸筒２０を外径約１０（ｍｍ），内径約６（ｍｍ），長さ約８０（ｍｍ）、照明装着部２４を長さ約６〜８（ｍｍ），外径８（ｍｍ）、耳掻き装着部２３を長さ約６〜８（ｍｍ），外径７（ｍｍ）にし、また、ケース３１を外径約２０（ｍｍ），幅約８（ｍｍ）、拡大レンズ５０を直径約４５（ｍｍ）に形成することができる。
【図面の簡単な説明】
【００５３】
【図１】本考案の一実施形態に係る照明付耳掻きの斜視図である。
【図２】同上の一実施形態に係る照明付耳掻きの分解斜視図である。
【図３】同上の一実施形態に係る照明付耳掻きの断面図である。
【図４】照明部を拡大して示すものであり、（Ａ）は、その照明部の縦断面図、（Ｂ）は、その照明部の平断面図である。
【図５】他例に係る耳掻き部材の斜視図である。
【符号の説明】
【００５４】
２０          軸筒
３０          照明部
５０          拡大レンズ
６０，７０    耳掻き本体
６１          光照射部
６２ａ        耳掻き用部材
【図１】
0003130697.tif 000003
【図２】
0003130697.tif 000004
【図３】
0003130697.tif 000005
【図４】
0003130697.tif 000006
【図５】
0003130697.tif 000007